(57)【要約】      （修正有）【課題】優れた放熱効果を達成し、使用寿命を延ばすことができるＬＥＤ看板の水冷式放熱システムを提供する。【解決手段】複数のＬＥＤモジュールからなる表示面１４に対して各ＬＥＤモジュールと密着する受熱部１１を配置し、これらを囲むフレーム１内に水平方向に各ＬＥＤモジュールを貫通する導水管２１を配置してこれらと接続する導入管３１、導出管３２を経由してポンプ３３により冷却水を循環させ、各ＬＥＤモジュールを一括して効果的に冷却する。【選択図】図２
0003158866.tif 000002
【実用新案登録請求の範囲】
【請求項１】
看板の外周を囲むフレーム内に表示面を構成する１以上のLEDモジュールおよび熱伝導性材質からなる受熱部を配置し、
各LEDモジュールに対して受熱部を密着して配置し、
各受熱部を貫通する導水管を具えると共に各導水管に対して冷却水を導入、排出する水管ユニット、および水管ユニットに対して冷却水の導入管と導出管を設けて、冷却水を駆動してこれらの導水管を経由して冷却水を循環させる水冷装置を設けた、
ことを特徴とする、LED看板の水冷式放熱システム。
【請求項２】
前記フレームと該受熱部との間には、固定部品を設置したことを特徴とする、請求項１記載のLED看板の水冷式放熱システム。
【請求項３】
前記受熱部と該受熱部との間には、固定部品を設置したことを特徴とする、請求項１記載のLED看板の水冷式放熱システム。
【請求項４】
前記固定部品は、熱伝導管で、該受熱部の熱を、該フレームに伝導して放熱することを特徴とする、請求項２記載のLED看板の水冷式放熱システム。
【請求項５】
前記固定部品は、熱伝導管で、該受熱部の熱を、これと組み合わせて接続する受熱部に伝導したことを特徴とする、請求項３記載のLED看板の水冷式放熱システム。
【請求項６】
前記水冷装置はさらに、ポンプ及び水槽を備え、該冷却液体を充填して貯蔵し、
かつ、前記導入管は、該水槽に接続し、
前記導出管は、該ポンプに接続したことを特徴とする、請求項１記載のLED看板の水冷式放熱システム。
【請求項７】
前記ポンプと該水槽との間には、接続管を備えたことを特徴とする、請求項６記載のLED看板の水冷式放熱システム。
【請求項８】
前記フレームは、設置面及び表示面を備え、
該表示面は、受熱部と背中合わせに密着する該LEDモジュールが平坦面を構成し、
かつ該設置面と該表示面との間に収容設置空間を区画し、
該収容設置空間には、該フレーム及び該LEDモジュールを収容設置したことを特徴とする、請求項１記載のLED看板の水冷式放熱システム。
【請求項９】
前記水冷装置は、前記収容設置空間内に設置したことを特徴とする、請求項８記載のLED看板の水冷式放熱システム。
【請求項１０】
前記受熱部は、銅材質の放熱部品で、該銅材質の放熱部品は、接触面を備え、該LEDモジュールと相対して緊密に接続したことを特徴とする、請求項１記載のLED看板の水冷式放熱システム。
【請求項１１】
前記フレームは、第一側辺、第二側辺、第三側辺、及び第四側辺を備え、
該第一側辺の両端は、該第二、四側辺の一端にそれぞれ接続して対応し、
該第三側辺の両端は、該第二、四側辺の反対端にそれぞれ接続して対応し、
これにより、相互に連通し、該収容設置空間周囲を囲む環状に設置し、前記熱伝導管は、該第一、二、三、四側辺を経て放熱を行うことを特徴とする、請求項４記載のLED看板の水冷式放熱システム。
【請求項１２】
前記水冷装置は、該フレーム外に設置し、前記導入管は、該第一、二、三、四側辺中の一つを貫通して設置したことを特徴とする、請求項１１記載のLED看板の水冷式放熱システム。
【請求項１３】
前記水冷装置は、該フレーム外に設置し、前記導出管は、該第一、二、三、四側辺中の一つを貫通して設置したことを特徴とする、請求項１１記載のLED看板の水冷式放熱システム。
【請求項１４】
前記受熱部はさらに、複数の放熱フィンを備え、
該放熱フィンは、該受熱部の該LEDモジュールと反対の端面上に設置したことを特徴とする、請求項１記載のLED看板の水冷式放熱システム。
【考案の詳細な説明】
【技術分野】
【０００１】
本考案は、LED看板に関し、特に水冷装置を通して、水冷装置内の冷却液体を駆動し、水管ユニット内において迅速に流動、循環させて放熱し、放熱効果を向上させることができるLED看板の水冷式放熱システムに関するものである。
【背景技術】
【０００２】
日々激しい競争が繰り広げられている現代社会において、広告は非常に重要な役割を果たしている。
例えば、企業イメージ、会社紹介、製品情報などはみな、広告により普及し、告知される等の効果を達成する。
注目を集めることができる広告は、人に、より強い好奇心を起こさせ、記憶に残り易いため、多くの業者が広告のデザインに注力している。
【０００３】
いわゆる広告媒介、特にLED(Light Emitting Diode、発光ダイオード)による看板は、広告効果において、極めて優れた宣伝機能を備える。
しかも、該LED看板は、平面靜態の表現方式から、動態影像の表現方式へと広げることができるため、より豊かな可変性とフレキシビリティを備える。
さらに、視覚上の作用をも備えるため、その機能は、他の広告媒介が達成可能な効果をはるかに凌ぐ。
【０００４】
しかし、従来のLED看板では、長時間広告を再生すると、該LED看板内の複数のLEDモジュールが光を発すると同時に発熱する。
そのため、LED看板内にたまった熱を適時に迅速に排出しなければ、LED看板上の光を発する各LEDモジュールの明度がそれぞれに不一致となるという現象を招く。
ひどい時には、該各LEDモジュールは損壊、故障し、該LED看板が再生する広告は途切れ途切れとなり、広告の宣伝効果は大幅に低下してしまう。
【０００５】
このため業者は、該LED看板を設置するエリアにメンテナンス人員を派遣し、長時間広告を再生するLED看板内の該各LEDモジュールを、しばしばメンテナンスしなければならない。
よって、これにより人的コストの高騰を招き、しかもLEDモジュールの使用寿命を短くしてしまっている。
上記したように、従来の技術には、放熱性能が低く、明度が一定せず、使用寿命が短く、人的コストを高騰させるという欠点が存在する。
本考案は、従来のLED看板の上記した欠点に鑑みてなされたものである。
【先行技術文献】
【特許文献】
【０００６】
【特許文献１】特開２００９−１２９６４２号公報
【特許文献２】特開２００３−６６８８０号公報
【考案の概要】
【考案が解決しようとする課題】
【０００７】
本考案が解決しようとする第一の課題は、水管ユニットと水冷装置により、複数のLEDモジュールが発する熱を、フレーム上に迅速に導引して放熱し、最適な放熱効果を達成することができるLED看板の水冷式放熱システムを提供することである。
本考案が解決しようとする第二の課題は、受熱部が受取った熱を、熱伝導管により付近の受熱部へと迅速に導引し、しかもフレームへと導引して放熱し、極めて優れた放熱効果を達成可能なLED看板の水冷式放熱システムを提供することである。
本考案が解決しようとする第三の課題は、放熱面積を拡大することができるLED看板の水冷式放熱システムを提供することである。
本考案が解決しようとする第四の課題は、熱伝導効率を向上させられるLED看板の水冷式放熱システムを提供することである。
本考案が解決しようとする第五の課題は、使用寿命を延ばすことができるLED看板の水冷式放熱システムを提供することである。
本考案が解決しようとする第六の課題は、LEDモジュールの明度の安定を維持可能なLED看板の水冷式放熱システムを提供することである。
【課題を解決するための手段】
【０００８】
上記課題を解決するため、本考案は下記のLEDモジュール及びその看板の水冷式放熱システムを提供する。
LED(Light Emitting Diode)看板の放熱システムは、LEDモジュールに接する少なくとも１ヶ所の受熱部、及び少なくとも１個のLEDモジュールを備えるフレーム、少なくとも１個の導水管を備える少なくとも１個の水管ユニット、及び少なくとも１個の導入管と少なくとも１個の導出管を備える少なくとも１個の水冷装置からなり、
該受熱部と該LEDモジュールとは、相互に密着し、
該導水管は、該各受熱部を通過して設置し、しかも該水管ユニットは、該水冷装置に対応して接続し、
該導入管と該導出管は、該水管ユニットの前端と後端にそれぞれ接続し、その内部に貯蔵する冷却液体を駆動して、該水管ユニット及び該水冷装置内において流通させ、
冷却液体により、該受熱部の熱エネルギーを、該水冷装置上に迅速に伝導して放熱し、
該冷却液体により、該LEDモジュールが発生する熱を迅速に該水冷装置上に導引して放熱するため、熱伝導、伝導効率を向上させられると共に最適な放熱効果を達成することができる。
【考案の効果】
【０００９】
本考案LED看板の水冷式放熱システムは、極めて優れた放熱効果を備え、放熱面積を増大させることができ、熱伝導効率を向上させることができ、使用寿命を延長することができ、LEDモジュールが発する光の明度を安定的に一致させることができる。
【図面の簡単な説明】
【００１０】
【図１】本考案第一実施例の分解方式図である。
【図２】本考案第一実施例の組合せ方式図である。
【図３】本考案第一実施例の前視図である。
【図４】本考案第一実施例の実施方式図である。
【図５】本考案第二実施例の分解方式図である。
【図６】本考案第二実施例の組合せ方式図である。
【図７】本考案第二実施例の前視図である。
【図８】本考案第二実施例の実施方式図である。
【図９】本考案第三実施例の分解方式図である。
【図１０】本考案第三実施例の組合せ方式図である。
【図１１】本考案第三実施例の前視図である。
【図１２】本考案第三実施例の実施方式図である。
【考案を実施するための形態】
【００１１】
以下に図面を参照しながら本考案を実施するための最良の形態について詳細に説明する。
【実施例】
【００１２】
図１、２、３に示すように、本考案LED看板の水冷式放熱システムの第一実施例は、少なくとも１個の受熱部11、及びLED(Light Emitting Diode)モジュール12を備えるフレーム1、少なくとも１個の導水管21を備える少なくとも１個の水管ユニット2、及びポンプ33及び水槽34を備える少なくとも１個の水冷装置3からなる。
【００１３】
該受熱部11は、該LEDモジュール12に対して密着して配置する。
該フレーム1は、設置面13及び表示面14を備える。
該表示面14は平坦面をなし、該LEDモジュール12が背中合わせに該受熱部11の端面と接続する。
そして、該設置面13と表示面14とはそれらの相対する間に、収容設置空間15を区画する。
【００１４】
該受熱部11は、熱伝導性材質で、最適な熱伝導（或いは吸熱）効果を備え、熱を迅速に吸収し、伝導することができる。
該受熱部11は、LEDモジュール12との接触面111を備え、該接触面111は、該LEDモジュール12と相対して緊密に接続する。
【００１５】
また、該フレーム１は、LEDモジュール12および受熱部を囲む四辺形をなし、第一側辺16、第二側辺17、第三側辺18、及び第四側辺19を備える。
該第一側辺16の両端は、該第二、四側辺17、19の一端にそれぞれ接して対応し、該第三側辺18の両端は、該第二、四側辺17、19の反対端にそれぞれ接して対応する。
以上の構成により、相互に接続して該収容設置空間15周囲に環状に設置し、該各受熱部11側辺にはさらに、固定部品112を接続する。
【００１６】
固定部品112の反対端は、直近の受熱部11に接続すると共に、該フレーム1側辺に近接する受熱部11はさらに、第一側辺16、第二側辺17、第三側辺18、及び第四側辺19との間に、同時に固定部品112を介して接続されてこれらとの間に連結構造を構成する。
【００１７】
これにより、該各受熱部11は相互に定位され、しかも該フレーム1の収容設置空間15位置内に定位される。
かくして該各受熱部11は定位された状態で該LEDモジュール12に密着する。
【００１８】
また、該導水管21は、該受熱部11内を経由し、各導水管21は、水平に同じ列の受熱部11を貫通して配置される。
【００１９】
該水冷装置3は、該フレーム1の水管ユニット2に接続され、該水冷装置3は、導入管31と導出管32をそれぞれ備える。
【００２０】
該導入管31と該導出管32とは、上記の複数の導水管21にそれぞれ接続されて、これらの各列の導水管を経由して冷却液体が循環する経路を構成する。
該導入管31と該導出管32とは、図示するように第一側辺16をそれぞれ通過し、その位置の受熱部11を経由して該水管ユニット2の前端と後端にそれぞれ接続する。
【００２１】
該水槽34には、冷却液体を貯蔵し、該ポンプ33及び該水槽34間は、接続管35により相互に接続し、また、該導入管31は、該水槽34に接続する。
【００２２】
該導出管32は、該ポンプ33に接続し、該ポンプ33により、その内部に貯蔵する冷却液体を駆動して、該水管ユニット2及び該水冷装置3内において流通、循環させて放熱する。
【００２３】
水槽34内の冷却液体は、ポンプ33により駆動された後、該水槽34を経て送出され、導入管31を経て、該フレーム1内に入り、冷却液体はそれぞれ該各導水管21へと送られる。
これにより冷却液体は、該導水管21を経て、該各受熱部11に入り、該各受熱部11が、該LEDモジュール12から受取った熱を除去する。
【００２４】
該熱を吸収した冷却液体は、該導出管32へと送られ、該導出管32を経由して、該水槽34へと戻される。
こうして、該冷却液体は絶えず流動して循環し、該受熱部11の熱を持ち去り、これにより放熱効率を高め、迅速な排熱を達成することができる。
【００２５】
該LEDモジュール12と密着する各受熱部11はすべて、導水管21、導入管31、導出管32に接続されて、該導入管31と該導出管32はさらに、該各導水管21をつなぎ、こうして循環管路を形成する。
また、該各受熱部11間、及び該受熱部11と該フレーム1間とを接続する固定部品112は、熱伝導管などの熱伝導材質を備える構成部材である。
【００２６】
よって、該各受熱部11は、該LEDモジュール12の発熱を吸収すると同時に、該固定部品112を経由して熱伝導することができ、さらに熱伝導材質のフレーム1へと伝導し、該LEDモジュール12が発生する熱は、冷却液体の循環流動により熱伝導される他、同時に、熱伝導材質である固定部品112とフレーム1とを経て、効果的な熱伝導が行われ、放熱効率を向上させ、迅速な排熱を達成することができる（図４参照）。
【００２７】
図５、６、７、８に示すように、本考案第二実施例のLED看板の水冷式放熱システムは、少なくとも１個の受熱部11、及びLED(Light Emitting Diode)モジュール12を備えるフレーム1、少なくとも１個の導水管21を備える少なくとも１個の水管ユニット2、及び少なくとも１個の導入管31と少なくとも１個の導出管32とをそれぞれ備える少なくとも１個の水冷装置3からなる。
【００２８】
該受熱部11は、該LEDモジュール12に対応して密着し、該フレーム1は、設置面13及び表示面14を備える。
該表示面14は平坦面を構成し、該LEDモジュール12が背中合わせに対応する該受熱部11の端面と接続する。
【００２９】
該設置面13と表示面14とは相対して、その間に、収容設置空間15を区画する。該受熱部11は、熱伝導材質で、最適な熱伝導（或いは吸熱）効果を備え、熱を迅速に吸収し、伝導することができる。
該受熱部11は、LEDモジュール12との接触面111を備え、該接触面111は、該LEDモジュール12と相対して緊密に接続する。
【００３０】
また、該フレーム1は、第一側辺16、第二側辺17、第三側辺18、及び第四側辺19を備える。
該フレーム1側辺に近接する受熱部11はさらに、第一側辺16、第二側辺17、第三側辺18、及び第四側辺19との間に、同時に固定部品112を設置する。
【００３１】
これにより、該各受熱部11は相互に定位され、しかも該フレーム1の収容設置空間15位置に定位される。
しかも、該各受熱部11は定位され、該LEDモジュール12に密着する。
該導水管21は、該各受熱部11を通過する。
【００３２】
該水冷装置3は、該フレーム1内に設置し、該水冷装置3は、該フレーム1の水管ユニット2に接続して対応し、該水冷装置3は、少なくとも１個の導入管31と少なくとも１個の導出管32をそれぞれ備える。
【００３３】
該導入管31と該導出管32とは、同時に複数の導水管21に接続され、これらで構成される該水管ユニット2の前端と後端にそれぞれ接続する。
また、該水冷装置3はさらに、ポンプ33及び水槽34を備え、該導入管31は、該水槽34に接続する。
【００３４】
該導出管32は、該ポンプ33に接続し、該ポンプ33により、その内部に貯蔵する冷却液体を駆動して、該水管ユニット2及び該水冷装置3内において流通、循環させて放熱する。
【００３５】
該水槽34内の冷却液体は、ポンプ33により駆動された後、該水槽34を経て送出され、導入管31を経て、該フレーム1内に入り、冷却液体をそれぞれ該各導水管21へと送り、これにより冷却液体は、該導水管21を経て、該各受熱部11に入り、該各受熱部11が、該LEDモジュール12上で受取った熱を持ち去る。
【００３６】
該熱を吸収した冷却液体は、該導出管32へと送られ、該導出管32を経由して、該水槽34へと戻される。
こうして、該冷却液体は絶えず流動して循環し、該受熱部11の熱を持ち去り、放熱効率を向上させ、迅速な排熱を達成することができる。
【００３７】
図９、１０、１１、１２に示すように、本考案第三実施例のLED看板の水冷式放熱システムは、少なくとも１個の受熱部11、及びLED(Light Emitting Diode)モジュール12を備えるフレーム1、少なくとも１個の水管ユニット2、及びポンプ33及び水槽34を備える少なくとも１個の水冷装置3からなる。
【００３８】
該受熱部11は、該LEDモジュール12に相対して密着し、該フレーム1の表示面14は、該LEDモジュール12により平坦な表示面を構成する。
該設置面13と表示面14とは相互に対応し、収容設置空間15を区画する。
【００３９】
該受熱部11は、熱伝導材質で、熱を迅速に吸収し、伝導することができる。
また、該フレーム1は、第一側辺16、第二側辺17、第三側辺18、及び第四側辺19を備える。
【００４０】
しかも、該フレーム1側辺に近接する受熱部11には、固定部品112を設置する。
これにより、該各受熱部11は相互に定位され、該フレーム1の収容設置空間15位置に定位されて、該各受熱部11は定位され、該LEDモジュール12に密着する。
【００４１】
該水管ユニット2の導水管21は、該各受熱部11を通過する。
該水冷装置3は、該フレーム1の水管ユニット2に接続して対応し、該水冷装置3の導入管31と導出管32とは同時に、該水管ユニット2に接続し、該水管ユニット2の前端と後端にそれぞれ接続する。
【００４２】
該導入管31は、該水槽34に接続し、該導出管32は、該ポンプ33に接続し、該ポンプ33により、その内部に貯蔵する冷却液体を駆動して、該水管ユニット2及び該水冷装置3内において流通、循環させて放熱する。
【００４３】
該各受熱部11片側辺は、該LEDモジュール12に対応して密着し、該LEDモジュール12に相対する反対側には、複数の放熱フィン4を密着させる。
これにより、該放熱フィン4は、該受熱部11の該LEDモジュール12とは反対の端面上に設置される。
【００４４】
こうして、該水槽34内の冷却液体は、ポンプ33により駆動された後、該水槽34を経て送出され、該導入管31を経て、該フレーム1内に入り、冷却液体をそれぞれ該各導水管21へと送り、これにより冷却液体は、該導水管21を経て、該各受熱部11に入り、該各受熱部11が、該LEDモジュール12上で受取った熱を持ち去る。
【００４５】
該熱を吸収した冷却液体は、該導出管32へと送られ、該導出管32を経由して、該水槽34へと戻される。
こうして、該冷却液体は絶えず流動して循環し、該受熱部11の熱を持ち去り、これにより放熱効率を高め、迅速な排熱を達成することができる。
【００４６】
また、該各受熱部11は、該LEDモジュール12において熱を吸収すると同時に、該固定部品112を経由して熱を伝導することができ、さらに熱伝導材質のフレーム1へと伝導する。
【００４７】
すなわち、該LEDモジュール12が発生する熱は、冷却液体の循環流動により熱伝導される他に、同時に、熱伝導材質である固定部品112とフレーム1とを経て、効果的な熱伝導が行われ、これにより放熱効率を高め、迅速な排熱を達成することができる。
【００４８】
この時、該受熱部11上で吸收された熱は、該側辺の放熱フィン4を経由し、放熱の効果を達成し、放熱効率のさらなる向上と、さらなる迅速排熱の効果とを達成することができる。
【００４９】
上記したように、本考案LED看板の水冷式放熱システムは、以下の長所を備える。
1.極めて優れた放熱効果を備える。
2.放熱面積を増大させることができる。
3.熱伝導効率を向上させることができる。
4.使用寿命を延長することができる。
5.LEDモジュールが発する光の明度を安定的に一致させることができる。
【００５０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００５１】
本考案は実用新案登録請求の要件である新規性を備え、従来の同類製品に比べ十分な進歩を有し、実用性が高く、社会のニーズに合致しており、産業上の利用価値は非常に大きい。
【符号の説明】
【００５２】
1  フレーム
11  受熱部
111  接触面
12  LEDモジュール
13  設置面
14  表示面
15  収容設置空間
16  第一側辺
17  第二側辺
18  第三側辺
19  第四側辺
112  固定部品
2  水管ユニット
21  導水管
3  水冷装置
31  導入管
32  導出管
33  ポンプ
34  水槽
35  接続管
4  放熱フィン
【図１】
0003158866.tif 000003
【図２】
0003158866.tif 000004
【図３】
0003158866.tif 000005
【図４】
0003158866.tif 000006
【図５】
0003158866.tif 000007
【図６】
0003158866.tif 000008
【図７】
0003158866.tif 000009
【図８】
0003158866.tif 000010
【図９】
0003158866.tif 000011
【図１０】
0003158866.tif 000012
【図１１】
0003158866.tif 000013
【図１２】
0003158866.tif 000014
【手続補正書】
【提出日】平成22年2月17日(2010.2.17)
【手続補正１】
【補正対象書類名】実用新案登録請求の範囲
【補正対象項目名】請求項６
【補正方法】変更
【補正の内容】
【請求項６】
前記水冷装置はさらに、ポンプ及び水槽を備え、該冷却水を充填して貯蔵し、
かつ、前記導入管は、該水槽に接続し、
前記導出管は、該ポンプに接続したことを特徴とする、請求項１記載のLED看板の水冷式放熱システム。
【手続補正２】
【補正対象書類名】明細書
【補正対象項目名】全文
【補正方法】変更
【補正の内容】
【考案の詳細な説明】
【技術分野】
【０００１】
本考案は、LED看板に関し、特に水冷装置を通して、水冷装置内の冷却水を駆動し、水管ユニット内において迅速に流動、循環させて放熱し、放熱効果を向上させることができるLED看板の水冷式放熱システムに関するものである。
【背景技術】
【０００２】
日々激しい競争が繰り広げられている現代社会において、広告は非常に重要な役割を果たしている。
例えば、企業イメージ、会社紹介、製品情報などはみな、広告により普及し、告知される等の効果を達成する。
注目を集めることができる広告は、人に、より強い好奇心を起こさせ、記憶に残り易いため、多くの業者が広告のデザインに注力している。
【０００３】
いわゆる広告媒介、特にLED(Light Emitting Diode、発光ダイオード)による看板は、広告効果において、極めて優れた宣伝機能を備える。
しかも、該LED看板は、平面靜態の表現方式から、動態影像の表現方式へと広げることができるため、より豊かな可変性とフレキシビリティを備える。
さらに、視覚上の作用をも備えるため、その機能は、他の広告媒介が達成可能な効果をはるかに凌ぐ。
【０００４】
しかし、従来のLED看板では、長時間広告を再生すると、該LED看板内の複数のLEDモジュールが光を発すると同時に発熱する。
そのため、LED看板内にたまった熱を適時に迅速に排出しなければ、LED看板上の光を発する各LEDモジュールの明度がそれぞれに不一致となるという現象を招く。
ひどい時には、該各LEDモジュールは損壊、故障し、該LED看板が再生する広告は途切れ途切れとなり、広告の宣伝効果は大幅に低下してしまう。
【０００５】
このため業者は、該LED看板を設置するエリアにメンテナンス人員を派遣し、長時間広告を再生するLED看板内の該各LEDモジュールを、しばしばメンテナンスしなければならない。
よって、これにより人的コストの高騰を招き、しかもLEDモジュールの使用寿命を短くしてしまっている。
上記したように、従来の技術には、放熱性能が低く、明度が一定せず、使用寿命が短く、人的コストを高騰させるという欠点が存在する。
本考案は、従来のLED看板の上記した欠点に鑑みてなされたものである。
【先行技術文献】
【特許文献】
【０００６】
【特許文献１】特開２００９−１２９６４２号公報
【特許文献２】特開２００３−６６８８０号公報
【考案の概要】
【考案が解決しようとする課題】
【０００７】
本考案が解決しようとする第一の課題は、水管ユニットと水冷装置により、複数のLEDモジュールが発する熱を、フレーム上に迅速に導引して放熱し、最適な放熱効果を達成することができるLED看板の水冷式放熱システムを提供することである。
本考案が解決しようとする第二の課題は、受熱部が受取った熱を、熱伝導管により付近の受熱部へと迅速に導引し、しかもフレームへと導引して放熱し、極めて優れた放熱効果を達成可能なLED看板の水冷式放熱システムを提供することである。
本考案が解決しようとする第三の課題は、放熱面積を拡大することができるLED看板の水冷式放熱システムを提供することである。
本考案が解決しようとする第四の課題は、熱伝導効率を向上させられるLED看板の水冷式放熱システムを提供することである。
本考案が解決しようとする第五の課題は、使用寿命を延ばすことができるLED看板の水冷式放熱システムを提供することである。
本考案が解決しようとする第六の課題は、LEDモジュールの明度の安定を維持可能なLED看板の水冷式放熱システムを提供することである。
【課題を解決するための手段】
【０００８】
上記課題を解決するため、本考案は下記のLEDモジュール及びその看板の水冷式放熱システムを提供する。
LED(Light Emitting Diode)看板の放熱システムは、LEDモジュールに接する少なくとも１ヶ所の受熱部、及び少なくとも１個のLEDモジュールを備えるフレーム、少なくとも１個の導水管を備える少なくとも１個の水管ユニット、及び少なくとも１個の導入管と少なくとも１個の導出管を備える少なくとも１個の水冷装置からなり、
該受熱部と該LEDモジュールとは、相互に密着し、
該導水管は、該各受熱部を通過して設置し、しかも該水管ユニットは、該水冷装置に対応して接続し、
該導入管と該導出管は、該水管ユニットの前端と後端にそれぞれ接続し、その内部に貯蔵する冷却水を駆動して、該水管ユニット及び該水冷装置内において流通させ、
冷却水により、該受熱部の熱エネルギーを、該水冷装置上に迅速に伝導して放熱し、
該冷却水により、該LEDモジュールが発生する熱を迅速に該水冷装置上に導引して放熱するため、熱伝導、伝導効率を向上させられると共に最適な放熱効果を達成することができる。
【考案の効果】
【０００９】
本考案LED看板の水冷式放熱システムは、極めて優れた放熱効果を備え、放熱面積を増大させることができ、熱伝導効率を向上させることができ、使用寿命を延長することができ、LEDモジュールが発する光の明度を安定的に一致させることができる。
【図面の簡単な説明】
【００１０】
【図１】本考案第一実施例の分解方式図である。
【図２】本考案第一実施例の組合せ方式図である。
【図３】本考案第一実施例の前視図である。
【図４】本考案第一実施例の実施方式図である。
【図５】本考案第二実施例の分解方式図である。
【図６】本考案第二実施例の組合せ方式図である。
【図７】本考案第二実施例の前視図である。
【図８】本考案第二実施例の実施方式図である。
【図９】本考案第三実施例の分解方式図である。
【図１０】本考案第三実施例の組合せ方式図である。
【図１１】本考案第三実施例の前視図である。
【図１２】本考案第三実施例の実施方式図である。
【考案を実施するための形態】
【００１１】
以下に図面を参照しながら本考案を実施するための最良の形態について詳細に説明する。
【実施例】
【００１２】
図１、２、３に示すように、本考案LED看板の水冷式放熱システムの第一実施例は、少なくとも１個の受熱部11、及びLED(Light Emitting Diode)モジュール12を備えるフレーム1、少なくとも１個の導水管21を備える少なくとも１個の水管ユニット2、及びポンプ33及び水槽34を備える少なくとも１個の水冷装置3からなる。
【００１３】
該受熱部11は、該LEDモジュール12に対して密着して配置する。
該フレーム1は、設置面13及び表示面14を備える。
該表示面14は平坦面をなし、該LEDモジュール12が背中合わせに該受熱部11の端面と接続する。
そして、該設置面13と表示面14とはそれらの相対する間に、収容設置空間15を区画する。
【００１４】
該受熱部11は、熱伝導性材質で、最適な熱伝導（或いは吸熱）効果を備え、熱を迅速に吸収し、伝導することができる。
該受熱部11は、LEDモジュール12との接触面111を備え、該接触面111は、該LEDモジュール12と相対して緊密に接続する。
【００１５】
また、該フレーム１は、LEDモジュール12および受熱部を囲む四辺形をなし、第一側辺16、第二側辺17、第三側辺18、及び第四側辺19を備える。
該第一側辺16の両端は、該第二、四側辺17、19の一端にそれぞれ接して対応し、該第三側辺18の両端は、該第二、四側辺17、19の反対端にそれぞれ接して対応する。
以上の構成により、相互に接続して該収容設置空間15周囲に環状に設置し、該各受熱部11側辺にはさらに、固定部品112を接続する。
【００１６】
固定部品112の反対端は、直近の受熱部11に接続すると共に、該フレーム1側辺に近接する受熱部11はさらに、第一側辺16、第二側辺17、第三側辺18、及び第四側辺19との間に、同時に固定部品112を介して接続されてこれらとの間に連結構造を構成する。
【００１７】
これにより、該各受熱部11は相互に定位され、しかも該フレーム1の収容設置空間15位置内に定位される。
かくして該各受熱部11は定位された状態で該LEDモジュール12に密着する。
【００１８】
また、該導水管21は、該受熱部11内を経由し、各導水管21は、水平に同じ列の受熱部11を貫通して配置される。
【００１９】
該水冷装置3は、該フレーム1の水管ユニット2に接続され、該水冷装置3は、導入管31と導出管32をそれぞれ備える。
【００２０】
該導入管31と該導出管32とは、上記の複数の導水管21にそれぞれ接続されて、これらの各列の導水管を経由して冷却水体が循環する経路を構成する。
該導入管31と該導出管32とは、図示するように第一側辺16をそれぞれ通過し、その位置の受熱部11を経由して該水管ユニット2の前端と後端にそれぞれ接続する。
【００２１】
該水槽34には、冷却水を貯蔵し、該ポンプ33及び該水槽34間は、接続管35により相互に接続し、また、該導入管31は、該水槽34に接続する。
【００２２】
該導出管32は、該ポンプ33に接続し、該ポンプ33により、その内部に貯蔵する冷却水を駆動して、該水管ユニット2及び該水冷装置3内において流通、循環させて放熱する。
【００２３】
水槽34内の冷却水は、ポンプ33により駆動された後、該水槽34を経て送出され、導入管31を経て、該フレーム1内に入り、冷却水はそれぞれ該各導水管21へと送られる。
これにより冷却水は、該導水管21を経て、該各受熱部11に入り、該各受熱部11が、該LEDモジュール12から受取った熱を除去する。
【００２４】
該熱を吸収した冷却水は、該導出管32へと送られ、該導出管32を経由して、該水槽34へと戻される。
こうして、該冷却水は絶えず流動して循環し、該受熱部11の熱を持ち去り、これにより放熱効率を高め、迅速な排熱を達成することができる。
【００２５】
該LEDモジュール12と密着する各受熱部11はすべて、導水管21、導入管31、導出管32に接続されて、該導入管31と該導出管32はさらに、該各導水管21をつなぎ、こうして循環管路を形成する。
また、該各受熱部11間、及び該受熱部11と該フレーム1間とを接続する固定部品112は、熱伝導管などの熱伝導材質を備える構成部材である。
【００２６】
よって、該各受熱部11は、該LEDモジュール12の発熱を吸収すると同時に、該固定部品112を経由して熱伝導することができ、さらに熱伝導材質のフレーム1へと伝導し、該LEDモジュール12が発生する熱は、冷却水の循環流動により熱伝導される他、同時に、熱伝導材質である固定部品112とフレーム1とを経て、効果的な熱伝導が行われ、放熱効率を向上させ、迅速な排熱を達成することができる（図４参照）。
【００２７】
図５、６、７、８に示すように、本考案第二実施例のLED看板の水冷式放熱システムは、少なくとも１個の受熱部11、及びLED(Light Emitting Diode)モジュール12を備えるフレーム1、少なくとも１個の導水管21を備える少なくとも１個の水管ユニット2、及び少なくとも１個の導入管31と少なくとも１個の導出管32とをそれぞれ備える少なくとも１個の水冷装置3からなる。
【００２８】
該受熱部11は、該LEDモジュール12に対応して密着し、該フレーム1は、設置面13及び表示面14を備える。
該表示面14は平坦面を構成し、該LEDモジュール12が背中合わせに対応する該受熱部11の端面と接続する。
【００２９】
該設置面13と表示面14とは相対して、その間に、収容設置空間15を区画する。該受熱部11は、熱伝導材質で、最適な熱伝導（或いは吸熱）効果を備え、熱を迅速に吸収し、伝導することができる。
該受熱部11は、LEDモジュール12との接触面111を備え、該接触面111は、該LEDモジュール12と相対して緊密に接続する。
【００３０】
また、該フレーム1は、第一側辺16、第二側辺17、第三側辺18、及び第四側辺19を備える。
該フレーム1側辺に近接する受熱部11はさらに、第一側辺16、第二側辺17、第三側辺18、及び第四側辺19との間に、同時に固定部品112を設置する。
【００３１】
これにより、該各受熱部11は相互に定位され、しかも該フレーム1の収容設置空間15位置に定位される。
しかも、該各受熱部11は定位され、該LEDモジュール12に密着する。
該導水管21は、該各受熱部11を通過する。
【００３２】
該水冷装置3は、該フレーム1内に設置し、該水冷装置3は、該フレーム1の水管ユニット2に接続して対応し、該水冷装置3は、少なくとも１個の導入管31と少なくとも１個の導出管32をそれぞれ備える。
【００３３】
該導入管31と該導出管32とは、同時に複数の導水管21に接続され、これらで構成される該水管ユニット2の前端と後端にそれぞれ接続する。
また、該水冷装置3はさらに、ポンプ33及び水槽34を備え、該導入管31は、該水槽34に接続する。
【００３４】
該導出管32は、該ポンプ33に接続し、該ポンプ33により、その内部に貯蔵する冷却水を駆動して、該水管ユニット2及び該水冷装置3内において流通、循環させて放熱する。
【００３５】
該水槽34内の冷却水は、ポンプ33により駆動された後、該水槽34を経て送出され、導入管31を経て、該フレーム1内に入り、冷却水をそれぞれ該各導水管21へと送り、これにより冷却水は、該導水管21を経て、該各受熱部11に入り、該各受熱部11が、該LEDモジュール12上で受取った熱を持ち去る。
【００３６】
該熱を吸収した冷却水は、該導出管32へと送られ、該導出管32を経由して、該水槽34へと戻される。
こうして、該冷却水は絶えず流動して循環し、該受熱部11の熱を持ち去り、放熱効率を向上させ、迅速な排熱を達成することができる。
【００３７】
図９、１０、１１、１２に示すように、本考案第三実施例のLED看板の水冷式放熱システムは、少なくとも１個の受熱部11、及びLED(Light Emitting Diode)モジュール12を備えるフレーム1、少なくとも１個の水管ユニット2、及びポンプ33及び水槽34を備える少なくとも１個の水冷装置3からなる。
【００３８】
該受熱部11は、該LEDモジュール12に相対して密着し、該フレーム1の表示面14は、該LEDモジュール12により平坦な表示面を構成する。
該設置面13と表示面14とは相互に対応し、収容設置空間15を区画する。
【００３９】
該受熱部11は、熱伝導材質で、熱を迅速に吸収し、伝導することができる。
また、該フレーム1は、第一側辺16、第二側辺17、第三側辺18、及び第四側辺19を備える。
【００４０】
しかも、該フレーム1側辺に近接する受熱部11には、固定部品112を設置する。
これにより、該各受熱部11は相互に定位され、該フレーム1の収容設置空間15位置に定位されて、該各受熱部11は定位され、該LEDモジュール12に密着する。
【００４１】
該水管ユニット2の導水管21は、該各受熱部11を通過する。
該水冷装置3は、該フレーム1の水管ユニット2に接続して対応し、該水冷装置3の導入管31と導出管32とは同時に、該水管ユニット2に接続し、該水管ユニット2の前端と後端にそれぞれ接続する。
【００４２】
該導入管31は、該水槽34に接続し、該導出管32は、該ポンプ33に接続し、該ポンプ33により、その内部に貯蔵する冷却水を駆動して、該水管ユニット2及び該水冷装置3内において流通、循環させて放熱する。
【００４３】
該各受熱部11片側辺は、該LEDモジュール12に対応して密着し、該LEDモジュール12に相対する反対側には、複数の放熱フィン4を密着させる。
これにより、該放熱フィン4は、該受熱部11の該LEDモジュール12とは反対の端面上に設置される。
【００４４】
こうして、該水槽34内の冷却水は、ポンプ33により駆動された後、該水槽34を経て送出され、該導入管31を経て、該フレーム1内に入り、冷却水
をそれぞれ該各導水管21へと送り、これにより冷却水は、該導水管21を経て、該各受熱部11に入り、該各受熱部11が、該LEDモジュール12上で受取った熱を持ち去る。
【００４５】
該熱を吸収した冷却水は、該導出管32へと送られ、該導出管32を経由して、該水槽34へと戻される。
こうして、該冷却水は絶えず流動して循環し、該受熱部11の熱を持ち去り、これにより放熱効率を高め、迅速な排熱を達成することができる。
【００４６】
また、該各受熱部11は、該LEDモジュール12において熱を吸収すると同時に、該固定部品112を経由して熱を伝導することができ、さらに熱伝導材質のフレーム1へと伝導する。
【００４７】
すなわち、該LEDモジュール12が発生する熱は、冷却水の循環流動により熱伝導される他に、同時に、熱伝導材質である固定部品112とフレーム1とを経て、効果的な熱伝導が行われ、これにより放熱効率を高め、迅速な排熱を達成することができる。
【００４８】
この時、該受熱部11上で吸收された熱は、該側辺の放熱フィン4を経由し、放熱の効果を達成し、放熱効率のさらなる向上と、さらなる迅速排熱の効果とを達成することができる。
【００４９】
上記したように、本考案LED看板の水冷式放熱システムは、以下の長所を備える。
1.極めて優れた放熱効果を備える。
2.放熱面積を増大させることができる。
3.熱伝導効率を向上させることができる。
4.使用寿命を延長することができる。
5.LEDモジュールが発する光の明度を安定的に一致させることができる。  
【００５０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００５１】
本考案は実用新案登録請求の要件である新規性を備え、従来の同類製品に比べ十分な進歩を有し、実用性が高く、社会のニーズに合致しており、産業上の利用価値は非常に大きい。
【符号の説明】
【００５２】
1  フレーム
11  受熱部
111  接触面
12  LEDモジュール
13  設置面
14  表示面
15  収容設置空間
16  第一側辺
17  第二側辺
18  第三側辺
19  第四側辺
112  固定部品
2  水管ユニット
21  導水管
3  水冷装置
31  導入管
32  導出管
33  ポンプ
34  水槽
35  接続管
4  放熱フィン